【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
無線ネットワーク（200）の基地局（210）において、前記無線ネットワークのユーザ装置にダウンロード（ＤＬ）データを送信するための方法であって、
制御信号を前記基地局（210）から前記ユーザ装置（220）へ提供するために使用される第１のキャリヤでコネクションを確立するステップ（A410）と、
前記ユーザ装置（220）を宛先とする前記ＤＬデータを第２のキャリヤで追加として転送すべきか否かを判定するステップ（A420）と、
前記第２のキャリヤを追加として使用すべきであると判定されると、前記第１及び第２のキャリヤで前記ＤＬデータを送信するステップ（A430）と、を含み、
前記第１及び第２のキャリヤで前記ＤＬデータを送信する前記ステップ（A430）は、
前記ＤＬデータを少なくとも第１及び第２のデータ部分に分割するステップ（A510）と、
前記第２のキャリヤに関する情報を前記第１のキャリヤで提供するステップ（A610）を含む、前記ＤＬデータの送信を前記ユーザ装置（220）に通知するステップ（A520）と、
前記第１のキャリヤで前記第１のデータ部分を送信するステップ（A530）と、
所定の遅延時間の待機後に、前記第２のキャリヤで前記第２のデータ部分を送信するステップ（A540）と、を含み、
前記所定の遅延時間は、前記ユーザ装置（220）が前記第２のキャリヤで受信する準備を行うのに十分な時間である
ことを特徴とする方法。
【請求項２】
前記第２のキャリヤは、前記基地局（210）から前記ユーザ装置（220）へ制御信号を提供するためには使用されないことを特徴とする請求項１に記載の方法。
【請求項３】
前記ユーザ装置（220）に通知する前記ステップ（A520）は、
前記第２のデータ部分を搬送するために割り当てられた前記第２のキャリヤの複数のリソース・ブロック（ＲＢ）に関する情報を、前記第１のキャリヤ又は前記第２のキャリヤで提供するステップ（A620）をさらに含み、
前記複数のＲＢに関する情報は、前記第１のキャリヤの物理下りリンク共用チャネル（ＰＤＳＣＨ）若しくは物理下りリンク制御チャネル（ＰＤＣＣＨ）、又は前記第２のキャリヤのＰＤＣＣＨで提供される
ことを特徴とする請求項１に記載の方法。
【請求項４】
前記第２のキャリヤを追加として使用すべきでないと判定されると、前記第１のキャリヤ又は前記第２のキャリヤで前記ＤＬデータを送信するステップ（A440）をさらに含み、
前記ＤＬデータは、前記第２のキャリヤで送信される際には、前記所定の遅延時間の待機後に送信される
ことを特徴とする請求項１に記載の方法。
【請求項５】
前記第１のキャリヤ又は前記第２のキャリヤで前記ＤＬデータを送信する前記ステップ（A440）では、
前記第２のキャリヤのチャネル品質が、前記第１のキャリヤのチャネル品質よりも高いこと、
前記第２のキャリヤの信号対干渉比（ＳＩＲ）が、前記第１のキャリヤのＳＩＲよりも高いこと、
前記第２のキャリヤの受信信号参照電力（ＲＳＲＰ）が、前記第１のキャリヤのＲＳＲＰよりも高いこと、
前記第２のキャリヤのデータ送信レートが、前記第１のキャリヤのデータ送信レートよりも高いこと、
前記第２のキャリヤの誤り率が、前記第１のキャリヤの誤り率よりも低いこと、及び、
前記第２のキャリヤの残りのデータ搬送容量が、前記第１のキャリヤの残りのデータ搬送容量を上回ること
のうちの何れか１つ以上が満たされると、前記ＤＬデータを前記第２のキャリヤで搬送すべきであると判定することを特徴とする請求項４に記載の方法。
【請求項６】
基地局（210）であって、
ユーザ装置（220）と通信する通信ユニット（930）と、
処理ユニット（910）であって、
制御信号を前記基地局（210）から前記ユーザ装置（220）へ提供するために使用される第１のキャリヤで、前記通信ユニット（930）を介してコネクションを確立し、
前記ユーザ装置（220）を宛先とするダウンロード（ＤＬ）データを第２のキャリヤで追加として転送すべきか否かを判定し、
前記第２のキャリヤを追加として使用すべきであると判定すると、前記通信ユニット（930）を介して、前記第１及び第２のキャリヤで前記ＤＬデータを送信する
前記処理ユニットと、を備え、
前記処理ユニット（910）は、前記ＤＬデータを少なくとも第１及び第２のデータ部分に分割する動作と、前記第２のキャリヤに関する情報を、前記第１のキャリヤで提供する動作を含む、前記ＤＬデータの送信を、前記通信ユニット（930）を介して前記ユーザ装置（220）に通知する動作と、前記第１のキャリヤで前記第１のデータ部分を送信する動作と、前記第２のキャリヤで前記第２のデータ部分を送信する動作と、によって、前記第１及び第２のキャリヤで前記ＤＬデータを送信し、
前記第２のデータ部分は、所定の遅延時間の待機後に、前記第２のキャリヤで送信され、
前記所定の遅延時間は、前記ユーザ装置（220）が前記第２のキャリヤで受信する準備を行うのに十分な時間である
ことを特徴とする基地局。
【請求項７】
前記第２のキャリヤは、前記基地局（210）から前記ユーザ装置（220）へ制御信号を提供するためには使用されないことを特徴とする請求項６に記載の基地局。
【請求項８】
前記処理ユニット（910）は、さらに、
前記第２のデータ部分を搬送するために割り当てられた前記第２のキャリヤの複数のＲＢに関する情報を、前記第１のキャリヤ又は前記第２のキャリヤで提供し、
前記複数のＲＢに関する情報は、前記第１のキャリヤの物理下りリンク共用チャネル（ＰＤＳＣＨ）若しくは物理下りリンク制御チャネル（ＰＤＣＣＨ）、又は前記第２のキャリヤのＰＤＣＣＨで提供される
ことを特徴とする請求項６に記載の基地局。
【請求項９】
前記処理ユニット（910）は、
前記第２のキャリヤを追加として使用すべきでないと判定すると、前記第１のキャリヤ又は前記第２のキャリヤで前記ＤＬデータを送信し、
前記ＤＬデータは、前記第２のキャリヤで送信される際には、前記所定の遅延時間の待機後に送信される
ことを特徴とする請求項６に記載の基地局。
【請求項１０】
前記処理ユニット（910）は、
前記第２のキャリヤのチャネル品質が、前記第１のキャリヤのチャネル品質よりも高いこと、
前記第２のキャリヤの信号対干渉比（ＳＩＲ）が、前記第１のキャリヤのＳＩＲよりも高いこと、
前記第２のキャリヤの受信信号参照電力（ＲＳＲＰ）が、前記第１のキャリヤのＲＳＲＰよりも高いこと、
前記第２のキャリヤのデータ送信レートが、前記第１のキャリヤのデータ送信レートよりも高いこと、
前記第２のキャリヤの誤り率が、前記第１のキャリヤの誤り率よりも低いこと、及び、
前記第２のキャリヤの残りのデータ搬送容量が、前記第１のキャリヤの残りのデータ搬送容量を上回ること
のうちの何れか１つ以上が満たされると、前記ＤＬデータを前記第２のキャリヤで搬送すべきであると判定することを特徴とする請求項９に記載の基地局。
【請求項１１】
無線ネットワーク（200）のユーザ装置（220）において、前記無線ネットワークの基地局からダウンロード（ＤＬ）データを受信するための方法であって、
制御信号を前記ユーザ装置（220）へ提供するために前記基地局（210）によって使用される第１のキャリヤでコネクションを確立するステップ（A1010）と、
前記基地局（210）から、第２のキャリヤに関する情報を含む通知を前記第１のキャリヤで受信するステップ（A1020）と、
前記基地局（210）がＤＬデータを転送するために前記第２のキャリヤを追加として使用するか否かを、前記通知に基づいて判定するステップ（A1030）と、
前記基地局（210）が前記第２のキャリヤを追加として使用すると判定されると、前記第１及び第２のキャリヤで前記ＤＬデータを受信するステップ（A1040）と、を含み、
前記ＤＬデータの第１の部分が前記第１のキャリヤで受信されるとともに、所定の遅延時間の後に、前記ＤＬデータの第２の部分が前記第２のキャリヤで受信され、
前記所定の遅延時間は、前記ユーザ装置（220）が前記第２のキャリヤで受信する準備をするのに十分な時間である
ことを特徴とする方法。
【請求項１２】
前記基地局（210）が前記ＤＬデータを転送するために前記第２のキャリヤを代替的に使用するか否かを、前記通知に基づいて判定するステップ（A1050）と、
前記基地局（210）が前記第２のキャリヤを代替的に使用すると判定された場合、前記所定の遅延時間の後に、前記第２のキャリヤで前記ＤＬデータを受信するステップ（A1060）と、
前記基地局（210）が前記第２のキャリヤを代替的に使用しないと判定された場合、前記第１のキャリヤで前記ＤＬデータを受信するステップ（A1070）と
をさらに含むことを特徴とする請求項１１に記載の方法。
【請求項１３】
前記通知は、前記第１のキャリヤ又は前記第２のキャリヤで搬送されるＤＬデータのために割り当てられた前記第２のキャリヤの複数のリソースブロック（ＲＢ）に関する情報を含み、
前記複数のＲＢに関する情報は、前記第１のキャリヤの物理下りリンク共用チャネル（ＰＤＳＣＨ）若しくは物理下りリンク制御チャネル（ＰＤＣＣＨ）、又は前記第２のキャリヤのＰＤＣＣＨで提供される
ことを特徴とする請求項１１に記載の方法。
【請求項１４】
前記第２のキャリヤは、前記基地局（210）によって、前記ユーザ装置（220）へ制御信号を提供するためには使用されないことを特徴とする請求項１１に記載の方法。
【請求項１５】
無線ネットワーク（200）における、基地局（210）と複数のキャリヤで通信可能なユーザ装置（220）であって、
前記基地局（210）と通信する通信ユニット（1120）と、
処理ユニット（1110）であって、
制御信号を前記ユーザ装置（220）へ提供するために前記基地局（210）によって使用される第１のキャリヤで、前記通信ユニット（1120）を介してコネクションを確立し、
前記基地局（210）から前記通信ユニット（1120）を介して、前記第１のキャリヤで搬送される第２のキャリヤに関する情報を含む通知を、前記第１のキャリヤで受信し、
前記基地局（210）がダウンロード（ＤＬ）データを転送するために第２のキャリヤを追加として使用するか否かを、前記通知に基づいて判定し、
前記基地局（210）が前記第２のキャリヤを追加として使用すると判定すると、前記通信ユニット（1120）を介して、前記第１及び第２のキャリヤで前記ＤＬデータを受信する
前記処理ユニットと、を備え、
前記ＤＬデータの第１の部分が前記第１のキャリヤで受信されるとともに、所定の遅延時間の後に、前記ＤＬデータの第２の部分が前記第２のキャリヤで受信され、
前記所定の遅延時間は、前記ユーザ装置（220）が前記第２のキャリヤで受信する準備をするのに十分な時間である
ことを特徴とするユーザ装置。
【請求項１６】
前記処理ユニット（1110）は、さらに、
前記基地局（210）が前記ＤＬデータを転送するために前記第２のキャリヤを代替的に使用するか否かを、前記通知に基づいて判定し、
前記基地局（210）が前記第２のキャリヤを代替的に使用すると判定した場合、前記所定の遅延時間の後に、前記通信ユニット（1120）を介して前記第２のキャリヤで前記ＤＬデータを受信し、
前記基地局（210）が前記第２のキャリヤを代替的に使用しないと判定した場合、前記通信ユニット（1120）を介して前記第１のキャリヤで前記ＤＬデータを受信する
ことを特徴とする請求項１５に記載のユーザ装置。
【請求項１７】
前記通知は、前記第１のキャリヤ又は前記第２のキャリヤで搬送されるＤＬデータのために割り当てられた前記第２のキャリヤの複数のリソース・ブロック（ＲＢ）に関する情報を含み、
前記複数のＲＢに関する情報は、前記第１のキャリヤの物理下りリンク共用チャネル（ＰＤＳＣＨ）若しくは物理下りリンク制御チャネル（ＰＤＣＣＨ）、又は前記第２のキャリヤのＰＤＣＣＨで提供される
ことを特徴とする請求項１５に記載のユーザ装置。
【請求項１８】
前記第２のキャリヤは、前記基地局（210）によって、前記ユーザ装置（220）へ制御信号を提供するためには使用されないことを特徴とする請求項１５に記載のユーザ装置。